【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
Ｉ／Ｑ変調に先立って入力信号を同相経路および直交位相経路内でそれぞれ第１および第２の補正係数で重み付けして出力信号を生成する高周波トランスミッタにおけるアナログＩ／Ｑ変調器の較正方法において、第１の手順として、出力信号のサイドバンド抑制に係る第１の補正係数ＣＩ、ＣＱ（３）および出力信号（１２）のキャリア抑制に係る第２の補正係数ＤＩ、ＤＱ（３）をその都度第１の既定値ＣＩ，１、ＣＱ，１、ＤＩ，１、ＤＱ，１に設定し、Ｉ／Ｑ変調器（１）の入力に周波数ｆ0の回転指数関数を満たす入力信号を入力し、第１のＩ／Ｑ変調器出力信号（１２）を生成して第１の評価を行い、該第１の評価の結果を記録し、第２の手順として、第１および第２の補正係数（３）をその都度第２の既定値ＣＩ，２ 、ＣＱ，２ 、ＤＩ，２ 、ＤＱ，２ に設定し、第２のＩ／Ｑ変調器出力信号（１２）を生成して第２の評価を行い、該第２の評価の結果を記録し、第３の手順として、第１および第２の補正係数（３）をその都度第３の既定値ＣＩ，３、ＣＱ，３、ＤＩ，３、ＤＱ，３に設定し、第３のＩ／Ｑ変調器出力信号（１２）を生成して第３の評価を行い、該第３の評価の結果を記録し、第４の手順として、Ｉ／Ｑ変調器（１）の振幅および／または位相アンバランスおよび／または残存キャリアの振幅を減少させる改善した補正係数（３）を、第１、第２および第３の手順で記録した結果から第１および第２補正係数（３）について計算し、第１、第２、第３および第４の手順を、前記改善した補正係数（３）を用いて、Ｉ／Ｑ変調器（１）の振幅および／または位相応答の誤差が既定の閾値を下回るか、または本方法の実行が既定の回数に達するまで繰り返すことを特徴とする高周波トランスミッタにおけるアナログＩ／Ｑ変調器の較正方法。
【請求項２】
請求項１に記載の方法において、第１の補正係数（３）ＣＩ、ＣＱまたは第２の補正係数（３）ＤＩ、ＤＱを第１、第２および第３手順において同じ値とすることを特徴とする方法。
【請求項３】
請求項１および請求項２のいずれか一項に記載の方法において、第１の手順において、第１の補正係数（３）ＣＩ、ＣＱおよび／または第２の補正係数（３）ＤＩ、ＤＱを該方法の前の実行時に決定した補正係数（３）に設定することを特徴とする方法。 
【請求項４】
請求項１〜３に記載の方法において、後に行う手順の前に、補正係数（３）ＣＩ、ＣＱ、ＤＩ、ＤＱの少なくとも１つは変化値ΔＣおよび／またはΔＤの作用を受けることを特徴とする方法。 
【請求項５】
請求項１に記載の方法において、Ｉ／Ｑ変調器（１）の入力側に与える周波数ｆ０の回転 指数関数を満たす入力信号を、同相入力に対する部分関数 
【数１】
2008524900.tif 000001
および直交位相入力に対する部分関数
【数２】
2008524900.tif 000002
から生成することを特徴とする方法。 
【請求項６】
請求項１〜４のいずれか一項に記載の方法において、Ｉ／Ｑ変調器出力信号（１２）をパワー検波することによってレベル指示器出力信号ｐ（ｔ）を生成し、第１の評価を、改善した第１の補正係数（３）Ｃ１およびＣＱを決定するため
【数３】
2008524900.tif 000003
及び
【数４】
2008524900.tif 000004
として 
【数５】
2008524900.tif 000005
および 
【数６】
2008524900.tif 000006
に従って行い、第２の評価を 
【数７】
2008524900.tif 000007
および 
【数８】
2008524900.tif 000008
に従って行い、第３評価を
【数９】
2008524900.tif 000009
および 
【数１０】
2008524900.tif 000010
に従って行い、改善した第１の補正係数（３）Ｃ１およびＣＱの決定を 
【数１１】
2008524900.tif 000011
と 
【数１２】
2008524900.tif 000012
と 
【数１３】
2008524900.tif 000013
と 
【数１４】
2008524900.tif 000014
とに従って行い、または改善した第２の補正係数（３）Ｄ１およびＤＱの決定を 
【数１５】
2008524900.tif 000015
及び
【数１６】
2008524900.tif 000016
として 
【数１７】
2008524900.tif 000017
と 
【数１８】
2008524900.tif 000018
と 
【数１９】
2008524900.tif 000019
と 
【数２０】
2008524900.tif 000020
とに従って行うことを特徴とする方法。
【請求項７】
請求項１〜４のいずれか一項に記載の方法において、Ｉ／Ｑ変調器の出力信号（１２）をＩ／Ｑ復調することにより複素ベースバンド受信信号 
【数２１】
2008524900.tif 000021
を生成し、第１の評価を 
【数２２】
2008524900.tif 000022
および 
【数２３】
2008524900.tif 000023
により行い、第２の評価を
【数２４】
2008524900.tif 000024
および 
【数２５】
2008524900.tif 000025
により行い、第３の評価を
【数２６】
2008524900.tif 000026
および 
【数２７】
2008524900.tif 000027
により行い、改善した第２の補正係数（３）Ｄ１およびＤＱを 
【数２８】
2008524900.tif 000028
と 
【数２９】
2008524900.tif 000029
と 
【数３０】
2008524900.tif 000030
と 
【数３１】
2008524900.tif 000031
により行い、または第１の評価を
【数３２】
2008524900.tif 000032
および 
【数３３】
2008524900.tif 000033
により行い、第２の評価を
【数３４】
2008524900.tif 000034
および 
【数３５】
2008524900.tif 000035
により行い、第３の評価を
【数３６】
2008524900.tif 000036
および 
【数３７】
2008524900.tif 000037
により行い、改善した第１の補正係数（３）Ｃ１およびＣＱを 
【数３８】
2008524900.tif 000038
と 
【数３９】
2008524900.tif 000039
と 
【数４０】
2008524900.tif 000040
と 
【数４１】
2008524900.tif 000041
により行うことを特徴とする方法。 
【請求項８】
請求項６および７のいずれか一項に記載の方法において、該方法における積分を時間不連続に行い、関数変化のサンプリング後に合計を行うようにすることを特徴とする方法。
【請求項９】
請求項１〜８のいずれか一項に記載の方法において、該方法を高周波トランスミッタの始動時に、圧力および／または温度等の環境条件変化に応じまたは高周波トランスミッタの動作モード変化に応じて、時間制御方式で行うことを特徴とする方法。
【請求項１０】
Ｉ／Ｑ変調器の振幅応答および位相応答を是正するための補正配置を上流側に接続した高周波トランスミッタにおけるアナログＩ／Ｑ変調器を較正するための配置において、Ｉ／Ｑ復調器（１）により生成した出力信号を評価するためのレベル指示器配置（４）またはＩ／Ｑ復調器（８）をＩ／Ｑ変調器（１）の下流側に接続することを特徴とする配置。
【請求項１１】
請求項１０に記載の配置において、レベル指示器配置（４）は包絡線検波器（５）およびローパスフィルタ（６）の直列接続から成ることを特徴とする配置。 
【請求項１２】
請求項１１に記載の配置において、前記直列接続の後に非線形伝送特性を有する段（７）を設けることを特徴とする配置。 
【請求項１３】
請求項１０に記載の配置において、Ｉ／Ｑ復調器（１）は入力ノード（１０）に接続した信号入力を有し、入力ノード（１０）は同相経路用の乗算器（１１）および直交位相経路用の乗算器（１１）に接続し、両乗算器（１１）をフィルタ（６）を介してＩ／Ｑ復調器構成（８）の各出力および直交位相発振器（９）に接続することを特徴とする配置。